(57)【要約】【課題】照明光による家禽への生体作用量のばらつきを低減するため、禽舎内を均一な照度およびスペクトルで照らす家禽用照明システムを提供する。【解決手段】禽舎内における家禽用照明システム１０は、照明装置２０と、制御装置３０とを備え、照明装置２０は、家禽育成用照明２１として、少なくとも育成光源２１ａと、青色光源２１ｂを有しており、家禽照明システム１０は、照明装置２０が１列に並ぶ照明列を３列以上有しており、制御装置３０は、照明列を各列ごとに照明制御を行う。【選択図】図２
2020018246.tif 000002
【特許請求の範囲】
【請求項１】
禽舎内における家禽用照明システムであって、
複数の家禽用照明器具が１列に並ぶ照明列を３列以上有し、
各列ごとに照明制御を行う照明制御部を備えることを特徴とする
家禽用照明システム。
【請求項２】
前記照明制御部は、前記照明列を列数に基づいて系統分類し、
各系統ごとに照明制御を行うことを特徴とする
請求項１に記載の家禽用照明システム。
【請求項３】
前記照明制御部における前記照明列の系統分類は、列数に基づいて、前記照明列全体の照明列方向長さの中心線を軸に線対称に設定されることを特徴とする
請求項２に記載の家禽用照明システム。
【請求項４】
前記照明列は
第１の家禽用照明列と、
第２の家禽用照明列と、
第３の家禽用照明列とを有し、
前記第１、第２、第３の家禽用照明列は各々が前記照明列全体の照明列方向長さの中心線を軸に線対称に備えられ、
前記第1の家禽用照明器具は、前記第2の家禽用照明器具より内側領域に、
前記第３の家禽用照明器具は、前記第２の家禽用照明器具より外側領域に備えられ、
前記照明制御部は、前記第２の家禽用照明器具は、前記第１の家禽用照明器具より照度が高く、
前記第３の家禽用照明器具は、前記第２の家禽用照明器具より照度が高くなるよう照明制御を行うことを特徴とする
請求項３に記載の家禽用照明システム。
【請求項５】
列数および系統を設定する初期設定部を備え、
前記初期設定部に入力された情報をもとに前記照明制御部が各系統ごとに照明制御を行うことを特徴とする
請求項１〜４のいずれか一項に記載の家禽用照明システム。
【請求項６】
前記初期設定部は、さらに照度係数および照度測定結果の情報を入力でき、
入力された照度係数および照度測定結果の情報に基づき、前記照明制御部が照度補正を行うことを特徴とする
請求項５に記載の家禽用照明システム。
【請求項７】
前記家禽用照明器具の制御情報表示を行う表示部をさらに備え、
システム起動後に、前記初期設定部で行われる初期設定の工程が表示されることを特徴とする
請求項１〜６のいずれか一項に記載の家禽用照明システム。
【請求項８】
各系統の照度設定を行う際に、前記表示部の背景色が、設定する照明の色と同色に変化することを特徴とする
請求項７に記載の家禽用照明システム。
【請求項９】
前記家禽用照明器具は、黄色照明および青色照明で構成されることを特徴とする
請求項１〜８のいずれか一項に記載の家禽用照明システム。
【発明の詳細な説明】
【技術分野】
【０００１】
本発明は、家禽の飼育に用いられる家禽用照明システムに関する。
【背景技術】
【０００２】
禽舎を用いた家禽の育成は、産業として、日本を含めた世界各国において盛んに行われている。家禽の育成方法として、季節や天候に関係なく禽舎内を所定の環境に制御でき、安定した状態で家禽を飼育できる無窓禽舎などが広く採用されている。
【０００３】
無窓禽舎では、禽舎内部を外部から遮断した状態で家禽を育成するので、家禽の育成状況に応じて、禽舎内の照明制御を行い、環境を調整することが行われている。特許文献１の技術では、家禽の育成を効率的に行う家禽飼育方法および禽舎における照明管理システムに関する技術が開示されている。特許文献１の技術では、複数の照明を、複数の系統にグループ分けして点灯制御する家禽育成用照明制御システムが知られている。
【先行技術文献】
【特許文献】
【０００４】
【特許文献１】特開２０１７−１０４０５０
【発明の概要】
【発明が解決しようとする課題】
【０００５】
しかしながら、特許文献１の技術では、照明光による家禽への生体作用量のばらつきを低減するため、床面近傍の照度分布を均一にする必要がある。
【課題を解決するための手段】
【０００６】
本発明は、複数の家禽用照明器具が１列に並ぶ照明列を３列以上有し、各列ごとに照明制御を行う照明制御部を備えることを特徴とする家禽用照明システムである。
【発明の効果】
【０００７】
本発明の家禽用照明システムは、禽舎内を均一な照度およびスペクトルで照らすことができるので、禽舎内で飼育する家禽への生体作用のばらつきが小さくなり、家禽の品質を安定させることができる。
【図面の簡単な説明】
【０００８】
【図１】本発明の実施の形態に係る照明システムの概要を示す図である。
【図２】本発明の実施の形態に係る照明システムの機能構成を示すブロック図である。
【図３】本発明の実施の形態に係る照明システムの配置例を示す図である。
【図４】育成用照明の発光スペクトルの第１の例を示す図である。
【図５】育成用照明の発光スペクトルの第２の例を示す図である。
【図６】青色光源が発する青色光の発光スペクトルの第１の例を示す図である。
【図７】青色光源が発する青色光の発行スペクトルの第２の例を示す図である。
【図８】白色光源が発する白色光の発光スペクトルの例を示す図である。
【図９】本発明の実施の形態に係る照明システム起動時の配線確認を行う際の表示部の例を示す図である。
【図１０】本発明の実施の形態に係る照明システムの初期設定を行う際の表示部の例を示す図である。
【図１１】照明装置のアドレス設定の際の表示部の例を示す図である。
【図１２】系統設定後のアドレススイッチの設定指示を行う際の表示部の例を示す図である。
【図１３】アドレス設定が正しく行われているかの確認画面の例を示す図である。
【図１４】照度値の入力方法の選択画面の例を示す図である。
【図１５】照度係数を入力する際の表示部の例を示す図である。
【図１６】各系統を点灯した際の照度測定値を入力する表示部の例を示す図である。
【図１７】照明装置の照度補正を確認する際の表示部の例を示す図である。
【図１８】照明装置の照度調整を行う際の表示部の例を示す図である。
【発明を実施するための形態】
【０００９】
以下、実施の形態について、図面を参照しながら説明する。なお、以下で説明する実施の形態は、一例であり、本発明を限定する主旨のものではない。
【００１０】
まず、実施の形態に係る照明システムの構成について説明する。図１、図２は、実施の形態に係る照明システムの概要を示す図である。図１に示されるように、実施の形態に係る照明システム１０は、昼行性家禽類の飼育に用いられる照明システムである、照明システム１０は、より具体的には、養鶏用の照明システムである。照明システム１０は、例えば、図３に示されるように照明列が、３列、４列、５列、または、６列で鶏舎６０に設置される。さらに、照明システム１０は、図３に示すように、列数に基づいて系統分類され、３列の際は中央の１列を系統Ａ、両脇の列を系統Ｂと分類する。また、照明列が４列の際は照明列方向長さの中心線を軸に線対称に分類され、内側２列を系統Ａ、外側２列を系統Ｂと分類する。照明列が５列の際は、中心の列を系統Ａ、系統Ａの両脇を系統Ｂ、系統Ｂのさらに外側の列を系統Ｃと分類する。照明列が４列の際は照明列方向長さの中心線を軸に線対称に分類され、最も内側２列を系統Ａ、系統Ａよりも１列外側の２列を系統Ｂ、系統Ｂのさらに外側２列を系統Ｃと分類する。図２に示されるように、照明システム１０は、照明装置２０と、制御装置３０とを備える。制御装置３０は照明装置２０を各列ごと、または、各系統ごとに照明制御を行う。以下、各装置について詳細に説明する。
【００１１】
まず、照明装置２０について詳細に説明する。照明装置２０は、鶏舎６０の天井に設置され、鶏舎６０内の床である飼育領域７０を照射する。照明装置２０は、家禽育成用照明２１と禽舎内作業用照明２２の異なる種類の照明を有しており、鶏舎６０の天井に少なくとも一つずつ設置されればよく、複数設置されてもよい。照明装置２０は、具体的には、複数の鶏が飼育されている飼育領域７０（鶏舎６０の床）に光を照射する。これにより、鶏舎６０内の鶏に光が照射される。
【００１２】
ここで、鶏舎６０で飼育される鶏は、例えば、肉用種であるブロイラー（より具体的には、チャンキー、コップ、または、アーパーエーカなど）であるが、いわゆる地鶏など、他の品種であってもよい。
【００１３】
家禽育成用照明２１は、少なくとも育成光源２１ａ、青色光源２１ｂ、の光源を有しており、禽舎内作業用照明２２は、少なくとも白色光源２２ｗを有しており、制御装置３０は、各光源に対して、独立して電力（電流）を供給するよう制御することができる。
【００１４】
育成光源２１ａは、例えば、発光ピーク波長が５５５ｎｍ以上５９５ｎｍ以下の光を発する。以下では、この光は育成光とも記載される。育成光は、第１の光の一例であって、例えば、単色光である。育成光は、具体的には、発光ピーク波長が５５５ｎｍ以上５７０ｎｍ以下の緑色光（黄緑色光）であってもよいし、発光ピーク波長が５７０ｎｍ以上５９５ｎｍ以下の黄色光であってもよい。なお、育成光は、５０５ｎｍ以上５４５ｎｍ以下の波長範囲に発光ピークを有しない。図４及び図５は、育成光の発光スペクトルの例を示す図である。
【００１５】
育成光源２１ａは、具体的には、上記育成光を発するように構成されたＬＥＤを用いた発光モジュールであるが、育成光源２１ａの具体的な態様は、特に限定されない。
【００１６】
青色光源２１ｂは、青色光を発する光源である。青色光源２１ｂは、例えば、発光ピーク波長が４５０ｎｍ以上４９５ｎｍ以下の青色光（単色光）を発する。図６及び図７は、青色光源２１ｂが発する青色光の発光スペクトルの例を示す図である。青色光は、第１の光と色度が異なる第２の光の一例である。青色光源２１ｂは、具体的には、青色ＬＥＤを用いた発光モジュールであるが、青色光源２１ｂの具体的な態様は、特に限定されない。
【００１７】
禽舎内作業用照明２２が有する白色光源２２ｗは、例えば、ＬＥＤを用いた光源であって白色光を発する。白色光は、第１の光と色度が異なる第２の光の別の一例である。図８は、白色光源２２ｗが発する白色光の発光スペクトルの例を示す図である．
白色光源２２ｗが発する白色光は、黒体軌跡上の白色であってもよいし、黒体軌跡から外れた白色であってもよい。また、白色光源２２ｗが発する白色光の色温度は、特に限定されない。実施の形態では、白色光源２２ｗが発する白色光の色温度は、５０００Ｋ以上８０００Ｋ以下の比較的高い色温度である。
【００１８】
白色光源２２ｗは、具体的には、ＣＯＢ（Ｃｈｉｐ  Ｏｎ  Ｂｏａｒｄ）型の発光モジュール、または、ＳＭＤ（Ｓｕｒｆａｃｅ  Ｍｏｕｎｔ  Ｄｅｖｉｃｅ）型の発光モジュールである。また、白色光源２２ｗは、リモートフォスファー型の発光モジュールであってもよい。白色光源２２ｗは、白熱電球または蛍光灯などであってもよい。
【００１９】
このように、照明装置２０は、発光ピーク波長が５５５ｎｍ以上５９５ｎｍ以下の育成光と、育成光と色度が異なる青色光または白色光を発する。
【００２０】
次に、制御装置３０について説明する。制御装置３０は、１以上の照明装置２０を制御するコントローラである。制御装置３０は、制御部３１と、表示部３２、操作部３３、記憶部３４と、計時部３５と、を備える。
【００２１】
制御部３１は、照明装置２０の各光源を制御する。制御部３１は、具体的には、育成光源２２ｇ、青色光源２２ｂ、及び白色光源２２ｗを独立して制御可能である。つまり、制御部３１は、育成光、青色光、及び、白色光を選択的に飼育領域７０に照射させることができる。制御部３１の制御には、点灯、消灯、及び、調光（点灯状態における明るさの調整）が含まれる。
【００２２】
制御部３１は、具体的には、光源部２２の光出力を制御するためのＤＭＸ制御回路（調光回路）などから構成される。制御部３１は、プロセッサ、またはマイクロコンピュータなどによって構成されてもよい。
【００２３】
表示部３２は、鶏舎内の照明装置２０の点灯制御状態を画面表示する表示装置である。表示部３２は、例えば、ディスプレイなどにより構成される。
【００２４】
操作部３３は、制御部３１で行う制御内容を指示入力する操作装置であり、照明装置２０の点灯制御、調光などを指示入力することができる。操作部３３は、操作性を向上させるために、表示部３２のディスプレイ上にタッチパネル方式にして設け、ユーザーが簡単に操作できるように構成されていることが好ましい。
【００２５】
記憶部３４は、制御部３１にプロセッサまたはマイクロコンピュータなどが含まれる場合に、制御部３１が実行する制御プログラムが記憶される記憶装置である。記憶部３４は、例えば、半導体メモリによって実現される。
【００２６】
また、記憶部３４には、鶏育成時の照明装置２０を制御する鶏育成プログラム、作業用照明２２を制御する作業用照明制御プログラム、鶏育成プログラム実行中の暗期設定を行う暗期プログラム、鶏育成プログラム実行中に照明を一時消灯する一時消灯プログラム、などが記憶されている。
【００２７】
計時部３５は、時間を計測する。計時部３５は、例えば、現在の日時（年月日を含む）を計測する。計時部３３は、具体的には、タイマ回路、または、リアルタイムクロックＩＣなどであるが、どのような態様であってもよい。計時部３５が計測した時間を示す時間情報は、制御部３１に出力され、制御部３１は、計時部３５が計測した時間に応じて光源部２２の制御を行う。
【００２８】
次に、照明システム１０の制御内容について説明する。なお、以下の実施例では、制御装置３０がタッチパネル方式の操作部３３を有するものについて説明する。
【００２９】
照明システム１０は、記憶部３４に記憶されている鶏育成プログラムに基づいて、照明装置２０の制御が行われる。鶏育成プログラムは、具体的には、鶏の育成期間のうち、鶏の日齢に応じて、育成光源２１ａ、青色光源２１ｂの各照度を調整し、その照度に応じて、鶏舎６０内を照らすことで、鶏を効率よく育成するプログラムである。
【００３０】
鶏育成プログラムは、鶏育成プログラム開始時を日齢０として、鶏の育成を開始する。なお、初期設定として、プログラム開始時を日齢０として開始するようになっているが、日齢を指定して開始するようにしてもよい。
【００３１】
図９（ａ）に示すように、照明システム１０を起動すると、配線確認工程の画面が表示部３２に表示される。この際、「点灯する」の操作を行うと、図９（ｂ）に示すような画面に切り替わり、ユーザーは照明装置２０が正常に点灯しているか否かを目視により確認する。
【００３２】
照明装置２０が全て点灯していることを確認したのち、「確認完了」操作を行うと、図９（ｃ）に示す画面に移行し、配線確認を終了する。この際、続けて操作を行う際には、「初期設定へ」の操作を行い、初期設定画面へ移行し、配線確認で終了する際には、「作業を終了する」の操作を行い、プログラムを終了して作業を終える。
【００３３】
次に、初期設定プログラムを起動した際について説明する。初期設定プログラムを起動した際には、図１０（ａ）に示すように初期設定を行う工程が表示部３２に表示される。初期設定を行う際には、「開始する」を選択し、初期設定を開始する。
【００３４】
初期設定を開始すると、図１０（ｂ）に示すように、鶏舎に設置されている照明器具の列数を選択する画面が表示部３２に表示される。この際、選択された列数がわかるように選択されたボタンは、青色に変化する。
【００３５】
なお、変化する色は、青色に限られるわけではなく、目視で識別できる色であれば何でもよく、例えば。赤色や黄色などでもよい。
【００３６】
列数を選択したのち、図１１（ａ）〜（ｄ）に示すように、列数に基づいて、照明装置２０は系統分類される。例えば、３列の際には、図１１（ａ）に示すように、中央の１列を系統Ａ、両端の２列を系統Ｂと分類し、４列の際には、図１１（ｂ）に示すように、中央の２列が系統Ａ、両端の２列を系統Ｂと分類し、５列の際には、図１１（ｃ）に示すように、中央の１列を系統Ａ、系統Ａの外側両隣の２列を系統Ｂ、系統Ｂのさらに外側の２
列を系統Ｃと分類し、６列の際は、図１１（ｄ）に示すように、中央の２列を系統Ａ、系統Ａの外側両隣の２列を系統Ｂ、系統Ｂのさらに外側の２列を系統Ｃと分類する。
【００３７】
つまり、照明装置２０の列数に基づいて、照明列は、列方向長さの中心線を軸に線対称に系統分類され、列の中心線に近い列から、系統Ａ、系統Ｂ、系統Ｃと分類される。
【００３８】
系統分類を行ったら、各電源のアドレススイッチを系統ごとに統一して設定する。例えば、図１２（ａ）に示すように、系統Ａ，Ｂの２系統の際には、系統Ａを「１，０，０」、系統Ｂを「２，０，０」と設定し、系統Ａ，Ｂ，Ｃの３系統の際には、系統Ａを「１，０，０」、系統Ｂを「２，０，０」、系統Ｃを「３，０，０」と設定する。
【００３９】
なお、各系統ごとに設定すれば、どのようなアドレスで設定してもよく、例えば、系統Ａを「２，０，０」、系統Ｂを「１，０，０」と設定してもよい。つまり、各系統をそれぞれ独立して制御できるようにアドレススイッチを設定すればよい。
【００４０】
アドレススイッチを設定した後には、図１２（ｂ）に示されるように、アドレススイッチが正しく設定されているかの確認画面が表示部３２に表示され、各系統ごとに正しく点灯制御されているかの確認を行う。
【００４１】
図１３（ａ）〜（ｄ）に示すように、各系統を順番に点灯し、鶏舎内において各系統のみが点灯していることを目視により確認を行う。目視確認後に、「次へ」の操作をすると、次の系統の点灯確認を行い、全ての系統において点灯が確認できたら、照度補正の工程へと進む。
【００４２】
次に、照度補正を行う際には、まず、照度測定を行う。照度測定方法は「鶏舎内でこれから測定する」、または、「ＳＤカードから過去データを読み込む」の２種類の入力方法から選択可能であり、入力方法を選択すると選択した方法のボタンが青色に変化する。
【００４３】
なお、ボタンの変化する色は、青色に限られるわけではなく、目視で識別できる色であれば何でもよく、例えば。赤色や黄色などでもよい。
【００４４】
また、入力方法の１つとして、「ＳＤカードから過去データを読み込む」という例を示したが、ＳＤカードに限られるものではなく、ＵＳＢメモリなどの外部記憶媒体から読み込んでもよい。
【００４５】
「ＳＤカードから過去データを読み込む」を選択した際には、図１４（ｂ）に示すように、ＳＤカードを本体に差し込んで、「読み込み開始」を行う旨のメッセージが表示部３２に表示される。
【００４６】
過去データからの読み込みの際には、照度値入力、および、自動補正は読み込んだ際に完了し、図１７（ｃ）に示す照度確認画面へと移行する。
【００４７】
次に、照度補正を行う際に、「鶏舎内でこれから測定する」を選択した場合について説明する。まず、「鶏舎内でこれから測定する」を選択した際には、照度補正までの設定の流れが表示部３２に表示される。
【００４８】
まず、事前に準備した鶏舎照度係数を各系統ごとに入力し、各系統の照度係数を決定する。
【００４９】
照度係数決定後に、図１６に示すように、各系統ごとに育成光源２１ａ、青色光源２１
ｂを各々点灯させ、各系統直下の測定地点において照度測定を行い、照度測定結果を入力する。ここでは、育成光源２１ａとして、黄色光源を用いた際の表示部３２の表示を例示する。
【００５０】
各系統、各測定地点での照度測定を行ったのちに、表示部３２には、図１７（ａ）に示すように、「入力された照度値をもとに照明器具の明るさの自動補正を行う」か否かの画面が表示される。照度補正を完了し、自動補正を行う選択である、「はい」のボタンを選択すると、図１７（ｂ）の画面に移行し、照度値入力と自動補正が完了し、照度補正が完了する。
【００５１】
照度補正の工程が完了したら、照度確認の工程へと移行する。
【００５２】
照度確認の工程では、全系統の育成光源２１ａ、および、青色光源２１ｂのそれぞれを点灯させ、照度測定を行って、照度値が規格内に入っているのかを確認する。
【００５３】
より具体的には、図１８（ａ）に示すように、育成光源２１ａのみを点灯させ、鶏舎内の照度を測定し、禽舎内が規格で定められた均一な照度で照らされているか否かを判断し、均一でない場合には、系統Ａ、Ｂ、Ｃのいずれか、または、全ての照度を調整する。禽舎内の照度が規格内に入っており、均一に照らされている場合には、「次へ」のボタンを押して次の工程へと移行する。
【００５４】
次に、図１８（ｂ）で示すように、青色光源２１ｂのみを点灯させ、育成光源２１ａのみを点灯させた時と同様に、照度測定、および、照度の調整を行う。
【００５５】
なお、照度の調整方法は、＋１、−１、±５など微調整を行うものでもよいし、照度値入力に戻って照度調整を行うものでもよい。
【００５６】
また、照度調整を行う際には、表示部３２の背景色が照度調整を行っている光源の色に対応した色に変化することが好ましい。
【００５７】
例えば、育成光源２１ａとして黄色光源の照度を調整する際には、表示部３２の背景色は黄色に変化し、青色光源２１ｂの照度を調整する際には、表示部３２の背景色が青色に変化する。
【００５８】
以上、本発明の最も好ましい実施の形態について説明したが、本発明は上記実施の形態に限定されるものではなく、特許請求の範囲に記載の構成を含むものは全て本発明に含まれる。
【００５９】
上記実施例では、鶏舎６０で飼育される鶏について、肉用種である場合について説明してきたが、鶏舎６０で飼育される鶏が産卵種であってもよい。鶏舎６０で飼育される鶏は、例えば、産卵種であるレイヤーなどであってもよい。
【００６０】
この場合、照明装置２０には、６００ｎｍ以上６５０ｎｍ以下の発光ピーク波長を有する光を発する光源を用いる。例えば、６００ｎｍ以上６５０ｎｍ以下の発光ピーク波長を有する赤色光や、色温度が３５００Ｋ以下の白色光を用いればよい。また、飼育領域に定常的に照射されている発光期間において、明るさのピークに対する光の明るさのボトムの割合は、６０％以下１００％未満であり、平均照度が２３ルクス以下であることが好ましい。
【００６１】
また、上記実施の形態では、制御装置３０として表示部３２に操作部３３を設けるタッ
チパネル形式の端末を用いているが、これに限られるものではなく、ＰＣやボタン形式の操作部を有するコントローラなどでもよい。
【００６２】
その他、上記実施の形態に対して、当業者が容易に思いつく変形を施して得られる形態、または、本発明の趣旨を逸脱しない範囲で実施の形態における構成要素および機能を任意に組み合わせることで実現できる形態も本発明に含まれる。
【図１】
2020018246.tif 000003
【図２】
2020018246.tif 000004
【図３】
2020018246.tif 000005
【図４】
2020018246.tif 000006
【図５】
2020018246.tif 000007
【図６】
2020018246.tif 000008
【図７】
2020018246.tif 000009
【図８】
2020018246.tif 000010
【図９】
2020018246.tif 000011
【図１０】
2020018246.tif 000012
【図１１】
2020018246.tif 000013
【図１２】
2020018246.tif 000014
【図１３】
2020018246.tif 000015
【図１４】
2020018246.tif 000016
【図１５】
2020018246.tif 000017
【図１６】
2020018246.tif 000018
【図１７】
2020018246.tif 000019
【図１８】
2020018246.tif 000020